(57)【要約】 【課題】無線情報を受信する電波受信用のアンテナと複数のモータとを有する電子時計において、電波受信性能を高く維持し、かつ、小型化される電子時計を提供する。【解決手段】電子時計は、受信アンテナと、複数の指針をそれぞれ駆動する複数の電磁モータと、を備える。電磁モータとして、受信アンテナによって電波を受信している最中に受信状態のインジケータ表示を行う秒針駆動モータ２４０と、受信アンテナ３００によって電波を受信している最中には駆動が停止される時分針駆動モータ２３０と、ＣＧ分針駆動モータ２６０と、が設けられている。秒針駆動モータ２４０は時分針駆動モータ２３０と、ＣＧ分針駆動モータ２６０とよりも受信アンテナ３００から遠い位置に配置されている。【選択図】図２
2007132822.tif 000002
【特許請求の範囲】
【請求項１】
電波を受信する受信アンテナと、
複数の指針によって複数の情報を表示する表示部と、
前記複数の指針をそれぞれ駆動する複数の電磁モータと、を備えた電子時計であって、
前記電磁モータとして、
電波受信中における駆動回数が比較的多い多駆動モータと、
電波受信中における駆動回数が前記多駆動モータに比べて少ないかあるいは駆動停止される少駆動モータと、が設けられ、
平面視および／または断面視において前記多駆動モータは前記少駆動モータよりも前記受信アンテナから遠い位置に配置されている
ことを特徴とする電子時計。
【請求項２】
電波を受信する受信アンテナと、
複数の指針によって複数の情報を表示する表示部と、
前記複数の指針をそれぞれ駆動する複数の電磁モータと、を備えた電子時計であって、
前記電磁モータとして、
電波受信中における駆動時の出力パルス数が比較的多い多駆動モータと、
電波受信中における駆動時の出力パルス数が前記多駆動モータに比べて少ないかあるいは出力パルス数がゼロとなる少駆動モータと、が設けられ、
平面視および／または断面視において前記多駆動モータは前記少駆動モータよりも前記受信アンテナから遠い位置に配置されている
ことを特徴とする電子時計。
【請求項３】
電波を受信する受信アンテナと、
複数の指針によって複数の情報を表示する表示部と、
前記複数の指針をそれぞれ駆動する複数の電磁モータと、を備えた電子時計であって、
前記電磁モータとして、
前記電波受信中において比較的大きな駆動電力で駆動される多駆動モータと、
前記電波受信中において前記多駆動モータの駆動電力よりも小さな駆動電力で駆動されるかあるいは駆動停止される少駆動モータと、が設けられ、
平面視および／または断面視において前記多駆動モータは前記少駆動モータよりも前記受信アンテナから遠い位置に配置されている
ことを特徴とする電子時計。
【請求項４】
電波を受信する受信アンテナと、
複数の指針によって複数の情報を表示する表示部と、
前記複数の指針をそれぞれ駆動する複数の電磁モータと、を備えた電子時計であって、
駆動モータコイルまたはステータの長さがより長い長電磁モータと、駆動モータコイルまたはステータの長さがより短い短電磁モータと、が設けられ、
平面視および／または断面視において前記長電磁モータが前記短電磁モータに比べて、前記受信アンテナから遠い距離に配置されている
ことを特徴とする電子時計。
【請求項５】
請求項４に記載の電子時計において、
前記長電磁モータは、電波受信中における駆動回数がより多い多駆動モータであり、
前記短電磁モータは、電波受信中における駆動回数が前記多駆動モータに比べて少ないかあるいは駆動停止される少駆動モータである
ことを特徴とする電子時計。
【請求項６】
請求項４に記載の電子時計において、
前記長電磁モータは、
電波受信中における駆動時の出力パルス数が多い多駆動モータであり、
前記短電磁モータは、電波受信中における駆動時の出力パルス数が前記多駆動モータに比べて少ないかあるいは出力パルス数がゼロとなる少駆動モータである
ことを特徴とする電子時計。
【請求項７】
請求項４に記載の電子時計において、
前記長電磁モータは、前記電波受信中において比較的大きな駆動電力で駆動される多駆動モータであり、
前記短電磁モータは、前記電波受信中において前記多駆動モータの駆動電力よりも小さな駆動電力で駆動されるかあるいは駆動停止される少駆動モータである
ことを特徴とする電子時計。
【請求項８】
請求項１〜３、５〜７のいずれかに記載の電子時計において、
前記多駆動モータは、前記受信アンテナにて前記電波を受信している最中に受信状態を表示する指針を駆動させる
ことを特徴とする電子時計。
【請求項９】
請求項１〜３、５〜８のいずれかに記載の電子時計において、
前記少駆動モータは、前記受信アンテナにて前記電波を受信しない通常駆動時において前記多駆動モータよりも長い駆動周期で駆動し、
前記受信アンテナにて前記電波を受信している最中にも通常駆動時の駆動を継続する
ことを特徴とする電子時計。
【請求項１０】
請求項９に記載の電子時計において、
前記少駆動モータとして第１少駆動モータと、
前記少駆動モータよりも駆動周期が長い第２少駆動モータと、が設けられ、
前記第１少駆動モータは前記第２駆動モータよりも前記受信アンテナから遠い位置に配置されている
ことを特徴とする電子時計。
【請求項１１】
請求項１０に記載の電子時計において、
前記多駆動モータは秒針駆動用モータであり、
前記第１少駆動モータは分針駆動用モータであり、
前記第２少駆動モータは時針駆動用モータである
ことを特徴とする電子時計。
【請求項１２】
請求項１０または請求項１１に記載の電子時計において、
前記第１少駆動モータは、前記受信アンテナにて前記電波を受信している最中には、通常の駆動周期よりも長い駆動周期で駆動する
ことを特徴とする電子時計。
【請求項１３】
請求項１〜３、５〜８、１２のいずれかに記載の電子時計において、
前記受信アンテナの端部の近傍に前記少駆動モータが配置され、
前記少駆動モータのモータコイルは、前記少駆動モータのステータと前記受信アンテナとの間に配置されている
ことを特徴とする電子時計。
【請求項１４】
請求項１〜３、５〜１３のいずれかに記載の電子時計において、
前記少駆動モータは、
誘起磁界を生じるモータコイルと、
前記モータコイルからの誘起磁界を伝達するステータと、
前記ステータの孔部分に回転自在に配置されて誘起磁界によって回転されるロータと、を備え、
前記少駆動モータは、前記受信アンテナのコイルの軸線方向に対し前記少駆動モータのモータコイルの軸線が６０度以上１２０度以下で交差する向きで配置されている
ことを特徴とする電子時計。
【請求項１５】
請求項１〜３、５〜１４のいずれかに記載の電子時計において、
前記少駆動モータは、
誘起磁界を生じるモータコイルと、
前記モータコイルからの誘起磁界を伝達するステータと、
前記ステータの孔部分に配置されて誘起磁界によって回転されるロータと、を備え、
前記ロータは二極に着磁されており、
このロータが安定に停止された際の磁極方向は、前記受信アンテナのコイルコアに流入する磁束線の方向に対して略直交または略平行である
ことを特徴とする電子時計。
【請求項１６】
請求項１〜３、５〜１５のいずれかに記載の電子時計において、
金属で構成された外装ケースと、
金属で構成された裏蓋と、
非導電性材料で構成された文字板と、を備え、
断面視において前記受信アンテナは前記文字板側に配置され、かつ、前記多駆動モータは前記裏蓋側に配置されている
ことを特徴とする電子時計。
【発明の詳細な説明】
【技術分野】
【０００１】
本発明は、電子時計に関する。
特に、無線情報を受信する受信機能を備えた電子時計に関する。
【背景技術】
【０００２】
無線情報を受信する機能を備えた電子時計として、例えば、無線（標準電波）で送信される時刻情報を受信して時刻修正を行う電波時計が知られている。
このような電波時計は、電波を受信する受信アンテナと、時刻表示部を駆動する時刻表示用モータと、を備える。
ここで、時刻表示用モータが駆動されると、このモータから磁界が発生する。
このモータから発生される磁界は標準電波に対してはノイズとなるため、受信アンテナによる電波受信動作に悪影響を及ぼす恐れがある。
そこで、時刻表示用モータから発生する磁界が受信アンテナによる受信動作に影響しないように、時刻表示用モータと受信アンテナとはできる限り離す配置が知られている（例えば、特許文献１）。
【０００３】
【特許文献１】特開２００３−１２１５６９号公報
【発明の開示】
【発明が解決しようとする課題】
【０００４】
ここで、時計の多機能化を目的としてクロノグラフ付きの時計が知られており、このようなクロノグラフ付き時計ではモータが複数設けられることになる。
もちろん、受信アンテナの受信性能を高く保つために、総てのモータを受信アンテナから十分に離して配置すれば簡単である。
しかしながら、総てのモータを受信アンテナから十分に離すと時計が非常に大型化されてしまうという問題が生じる。
特に、腕時計のような小型の時計では、多くの部品を限られたスペースに配置しなければならないのであるから、総てのモータを受信アンテナから十分に離すことは不可能である。
そのため、無線情報を受信する機能を備えた電子時計において、電波受信性能を高く維持しつつモータ数を増やして多機能化することは困難であった。
【０００５】
本発明の目的は、無線情報を受信する電波受信用のアンテナと複数のモータとを有する電子時計において、電波受信性能を高く維持し、かつ、小型化される電子時計を提供することにある。
【課題を解決するための手段】
【０００６】
本発明の電子時計は、電波を受信する受信アンテナと、複数の指針によって複数の情報を表示する表示部と、前記複数の指針をそれぞれ駆動する複数の電磁モータと、を備えた電子時計であって、前記電磁モータとして、電波受信中における駆動回数が比較的多い多駆動モータと、電波受信中における駆動回数が前記多駆動モータに比べて少ないかあるいは駆動停止される少駆動モータと、が設けられ、平面視および／または断面視において前記多駆動モータは前記少駆動モータよりも前記受信アンテナから遠い位置に配置されていることを特徴とする。
【０００７】
ここで、「駆動回数が多いモータ」とは、電波受信中における指針のステップ数が多いモータをいう。多駆動モータと少駆動モータの組み合わせとしては、たとえば、多駆動モータは常時駆動を行って通常時刻表示を行うモータであり、少駆動モータは通常時刻表示以外のクロノグラフやタイマー、アラーム設定等の多機能表示を行うモータであって比較的使用頻度が少ないものである。
また、たとえば、通常時刻表示を行う場合、多駆動モータは１秒毎に運針される秒モータであり、少駆動モータはたとえば５〜２０秒毎に駆動される時分モータである。
また、複数の電磁モータによって駆動される各指針により表示される情報としては、例えば、通常の現時刻の時、分、秒の他、ストップウォッチ機能としてのクロノグラフ時、分、秒、アラーム時刻設定用の時分などが例として挙げられる。
【０００８】
受信アンテナは、外部から送信される電波を受信し、この電波に含まれる情報を取得する。電波としては例えば標準電波が例として挙げられる。
受信している最中に表示される情報としては、例えば、受信アンテナによって電波が受信されている最中の電波受信強度、通常の現時刻の時、分、秒などが例として挙げられる。
これに合わせて、電磁モータの動作としては、受信アンテナによって電波を受信している最中の電波受信強度の表示や通常の現時刻の時、分、秒を表示するために駆動を行う、または駆動を停止する、がある。
【０００９】
このような本発明において、受信アンテナにて電波を受信している最中に駆動する電磁モータを受信アンテナから遠い位置に配置させていることにより、電磁モータから発生する磁界が受信アンテナに鎖交したり、受信アンテナによって受信した電波の情報にノイズが混じったりする回数が減るので、電波を正確に受信できない恐れがなくなり、受信アンテナの受信性能を高く保つことができる。
【００１０】
本発明の電子時計は、電波を受信する受信アンテナと、複数の指針によって複数の情報を表示する表示部と、前記複数の指針をそれぞれ駆動する複数の電磁モータと、を備えた電子時計であって、前記電磁モータとして、電波受信中における駆動時の出力パルス数が比較的多い多駆動モータと、電波受信中における駆動時の出力パルス数が前記多駆動モータに比べて少ないかあるいは出力パルス数がゼロとなる少駆動モータと、が設けられ、平面視および／または断面視において前記多駆動モータは前記少駆動モータよりも前記受信アンテナから遠い位置に配置されていることを特徴とする。
【００１１】
このような本発明において、駆動時に１ステップ駆動用パルスとして複数の矩形波状の細かいパルスを出力するのは、電磁モータの消費電力を削減するためである。矩形波状の細かいパルスを多く出す電磁モータが受信アンテナ近傍に配置されると、電磁モータから発生する磁界が受信アンテナに鎖交したり、受信アンテナによって受信した電波の情報にノイズが混じったりする回数が増加する。
なお、出力パルスとしては、１ステップでは１パルスで駆動するものであってもよい。要は、電波受信中において、上記細かいパルス数や１ステップでの１パルス総数を比較対象とするものである。
この点、本発明では、受信アンテナにて電波を受信している最中に出力パルス数が多い電磁モータを出力パルス数が少ない少駆動モータよりも受信アンテナから遠い位置に配置していることにより、受信時にアンテナの近くで出力されるパルス数が少なくなり、電磁モータから発生する磁界が受信アンテナに鎖交したり、受信アンテナによって受信した電波の情報にノイズが混じったりする回数が減る。よって、電波を正確に受信できない恐れがなくなり、受信アンテナの受信性能を高く保つことができる。
【００１２】
本発明の電子時計は、電波を受信する受信アンテナと、複数の指針によって複数の情報を表示する表示部と、前記複数の指針をそれぞれ駆動する複数の電磁モータと、を備えた電子時計であって、前記電磁モータとして、前記電波受信中において比較的大きな駆動電力で駆動される多駆動モータと、前記電波受信中において前記多駆動モータの駆動電力よりも小さな駆動電力で駆動されるかあるいは駆動停止される少駆動モータと、が設けられ、平面視および／または断面視において前記多駆動モータは前記少駆動モータよりも前記受信アンテナから遠い位置に配置されていることを特徴とする。
【００１３】
このような本発明において、受信アンテナにて電波を受信している最中に大きな駆動電力で駆動される電磁モータ（多駆動モータ）を小さな駆動電力で駆動される少駆動モータよりも受信アンテナから遠い位置に配置している。
よって、受信アンテナの近くで駆動されるモータの駆動時の電力は小さくなり、受信アンテナによって受信した電波の情報にノイズがのってもＳＮ比が大きくなる。その結果、電波を正確に受信できない恐れがなくなり、受信アンテナの受信性能を高く保つことができる。
【００１４】
本発明の電子時計は、電波を受信する受信アンテナと、複数の指針によって複数の情報を表示する表示部と、前記複数の指針をそれぞれ駆動する複数の電磁モータと、を備えた電子時計であって、駆動モータコイルまたはステータの長さがより長い長電磁モータと、駆動モータコイルまたはステータの長さがより短い短電磁モータと、が設けられ、平面視および／または断面視において前記長電磁モータが前記短電磁モータに比べて、前記受信アンテナから遠い距離に配置されていることを特徴とする。
【００１５】
このような構成において、モータコイルまたはステータがより長い電磁モータほど受信アンテナから遠い位置に配置される。
モータコイルまたはステータが長い電磁モータは強い磁場を発生させるところ、このような電磁モータが受信アンテナの近くにあると、受信アンテナで受信する電波にノイズがのりやすくなる。
この点、本発明の構成によれば、受信中において、受信アンテナに電磁ノイズが重畳しにくくなり、ＳＮ比が向上する。
また、受信中に電磁モータの駆動が停止されていても、受信アンテナが受信すべき外部から送られてくる電波（電磁波等）が高透磁率材の電磁モータのステータやコイルコアに引き込まれるので、アンテナが受信できる電波量が減少する。よって、受信アンテナから電波受信の出力信号が出力されるが、大きな電磁モータが受信アンテナのそばにあると、モータの駆動が停止されていても、受信アンテナからの出力信号のレベル低下を招きやすい。したがって、この点からも、大きいモータほど受信アンテナから離れた位置にあるのが望ましい。
【００１６】
本発明では、前記長電磁モータは、電波受信中における駆動回数がより多い多駆動モータであり、前記短電磁モータは、電波受信中における駆動回数が前記多駆動モータに比べて少ないかあるいは駆動停止される少駆動モータであることが好ましい。
【００１７】
本発明では、前記長電磁モータは、電波受信中における駆動時の出力パルス数が多い多駆動モータであり、前記短電磁モータは、電波受信中における駆動時の出力パルス数が前記多駆動モータに比べて少ないかあるいは出力パルス数がゼロとなる少駆動モータであることが好ましい。
【００１８】
本発明では、前記長電磁モータは、前記電波受信中において比較的大きな駆動電力で駆動される多駆動モータであり、前記短電磁モータは、前記電波受信中において前記多駆動モータの駆動電力よりも小さな駆動電力で駆動されるかあるいは駆動停止される少駆動モータであることが好ましい。
【００１９】
本発明では、前記多駆動モータは、前記受信アンテナにて前記電波を受信している最中に受信状態を表示する指針を駆動させることが好ましい。
【００２０】
このような構成において、多駆動モータは、受信アンテナによって電波が受信されている最中にも所定のタイミングで駆動する。
そして、この多駆動モータにより、受信アンテナでの電波受信状態を表示する指針（多駆動指針）を駆動させて表示部に受信状態を示す。
ここで、受信状態とは、受信感度、受信成功の可否、受信局の方向などが例として挙げられる。
このように、多駆動モータにより電波受信中に指針を駆動させて受信状態を表示することにより、ユーザーに電波の受信状態を知らせることができ、例えば、電波の受信状態を良好にするように時計の向きや場所等の変更をユーザーに促すことができる。
【００２１】
本発明では、前記少駆動モータは、前記受信アンテナにて前記電波を受信しない通常駆動時において前記多駆動モータよりも長い駆動周期で駆動し、前記受信アンテナにて前記電波を受信している最中にも通常駆動時の駆動を継続することが好ましい。
【００２２】
このような構成において、例えば、少駆動モータは、分針や時針を駆動するモータであって、駆動周期が長い。
このような少駆動モータは、受信アンテナにて電波を受信している最中に駆動していても磁界を発生する回数が少ないので、もし少駆動モータが受信アンテナの近くに配置された場合に通常時の駆動を継続しても受信アンテナの電波受信に与える影響は小さい。
そのため、受信アンテナでの電波受信中に少駆動モータを駆動させることで、電波受信中に完全に情報の表示を中止させることなく必要な情報を表示部に表示させることができる。
【００２３】
本発明では、前記少駆動モータとして第１少駆動モータと、前記少駆動モータよりも駆動周期が長い第２少駆動モータと、が設けられ、前記第１少駆動モータは前記第２駆動モータよりも前記受信アンテナから遠い位置に配置されていることが好ましい。
【００２４】
このような構成において、受信に悪影響がある電磁モータを受信アンテナから遠い位置に配置する一方で、受信への影響の低い電磁モータを受信アンテナに近い位置に配置することで、複数の電磁モータを備えていても受信アンテナの受信性能を高性能に維持しつつ全体として小型化を図ることができる
【００２５】
本発明では、
前記多駆動モータは秒針駆動用モータであり、前記第１少駆動モータは分針駆動用モータであり、前記第２少駆動モータは時針駆動用モータであることが好ましい。
【００２６】
このような構成において、通常時は多駆動モータ（秒針駆動モータ）により秒針が駆動され、電波受信中は多駆動モータにより駆動される秒針が電波受信強度を表示する。
そして、第１少駆動モータ（分針駆動用モータ）により分針が駆動され、第２少駆動モータ（時針駆動用モータ）により時針が駆動され、第１少駆動モータ（分針駆動用モータ）および第２少駆動モータ（時針駆動用モータ）による時針および分針の駆動は電波受信中も継続される。
多駆動モータ（秒針駆動モータ）は、電波受信中も駆動を所定回数以上の駆動を継続するが、受信アンテナから遠い位置に配置されているので、多駆動モータから生じる磁界が受信アンテナに与える影響は少ない。
また、第１少駆動モータ（分針駆動用モータ）および第２少駆動モータ（時針駆動用モータ）の駆動も電波受信中も継続されるが、時針および分針の駆動に必要な駆動周期は長いので、多駆動モータよりも受信アンテナに近接配置されていても受信アンテナに与える影響は少ない。
【００２７】
本発明では、前記第１少駆動モータは、前記受信アンテナにて前記電波を受信している最中には、通常の駆動周期よりも長い駆動周期で駆動することが好ましい。
【００２８】
例えば、電波を受信していないときに電磁モータの駆動開始から次の駆動開始までの時間が５秒であった場合、１分間の間に電磁モータは１２回駆動を行う。このままの駆動を継続した場合、受信アンテナによって受信した情報には１分間に１２回のノイズが混じる可能性があることになる。これに対し、電波を受信しているときの電磁モータの駆動開始から次の駆動開始までの時間を電波受信していないときの時間よりも長くすることにより受信アンテナによって受信した情報にノイズが混じる可能性を低減し、より信頼できる電波情報を取得できるようになる。
【００２９】
また、複数の電磁モータが存在し、電波受信している最中に駆動する場合、複数の電磁モータの駆動開始から次の駆動開始までの時間を合わせ一時期に駆動することにより受信アンテナによって受信した情報にノイズが混じる可能性を低減し、より信頼できる電波情報を取得できるようになる。
【００３０】
本発明では、前記受信アンテナの端部の近傍に前記少駆動モータが配置され、前記少駆動モータのモータコイルは、前記少駆動モータのステータと前記受信アンテナとの間に配置されていることが好ましい。
【００３１】
外部から送信される電波の受信は、外部からの磁束が受信アンテナ端部に収束される鎖交磁束により行われるが、ステータのような高透磁率性部材が受信アンテナに近接していると外部からの磁束はステータに多く収束され、受信アンテナの鎖交磁束が少なくなる。
この点、本発明では、ステータを受信アンテナの端部から離すことにより受信アンテナの鎖交磁束を多くして受信アンテナの受信性能を高く維持することができる。
受信アンテナにて電波を受信している最中に電磁モータを駆動する場合、電磁モータから発生する磁界が受信アンテナに鎖交し、受信アンテナによって受信した電波の情報にノイズが混じり、電波を正確に受信できない恐れがあるが、アンテナ端部の近くに高透磁率性部材であるステータが配置されていると、このような事態が生じやすい。すなわち、電磁モータコイルから発生する磁束は受信アンテナとはモータコイルを間にして反対側に位置する高透磁率性部材であるステータ内を流れて再び電磁モータコイルの他端に回帰する磁気回路と受信アンテナ端部に磁束が流れ込む磁気回路とを形成し、電磁モータから発生する磁束が電磁モータコイルに収束されることがなくなる。これでは、モータの出力低下を招きやすい。
さらに、モータコイルがステータと受信アンテナとの間に配置されていることにより、高透磁率性部材であるステータより流れでた電磁モータから発生する磁束の受信アンテナへの流入を防ぐことができる。
よって、受信アンテナの受信性能を高く維持したままで、電波受信中に指針の駆動を行うことができ、例えば、受信強度を表示してユーザーに電波の受信状態を知らせることができる。
【００３２】
本発明では、前記少駆動モータは、誘起磁界を生じるモータコイルと、前記モータコイルからの誘起磁界を伝達するステータと、前記ステータの孔部分に回転自在に配置されて誘起磁界によって回転されるロータと、を備え、前記少駆動モータは、前記受信アンテナのコイルの軸線方向に対し前記少駆動モータのモータコイルの軸線が６０度以上１２０度以下で交差する向きで配置されていることが好ましい。
【００３３】
受信アンテナが電波を受信している最中には受信アンテナから磁界が生じる。
受信アンテナの近くに金属部品が配置されている場合、受信アンテナから生じた磁束は金属部品内を流れ、磁束変化により金属部品内に渦電流が生じ損失となる。さらには、金属部品に銅線が巻かれたコイル（例えばモータコイル）である場合には、受信アンテナの磁束により前記コイルに誘起電流が生じ、この誘起電流によって生じる磁束が受信アンテナの鎖交磁束を小さくするので、金属部品以上の損失が生じることになる。
この点、本発明では、受信アンテナから生じる磁束に対し、コイル（例えばモータコイル）を６０度以上１２０度以下の角度を持って配置することにより、コイル（例えばモータコイル）に鎖交する磁束は極力少なくなり、受信アンテナの受信性能を高く保つことができる。
さらに、この受信アンテナとモータコイルの配置により、モータコイルの駆動により生じる磁界が受信アンテナのコイル軸に対して６０度から１２０度の範囲で交差しているので、モータコイルからの磁界が受信アンテナのコイルを通過しない。
よって、モータコイルからの磁界によって受信アンテナのコイルに誘起電流が生じることが極めて少なくなり、受信アンテナの受信性能を高く維持することができる。上記角度については、より好ましくは７５度から１０５度の範囲であり、さらに好ましくは８５度から９５度の範囲である。
【００３４】
本発明では、前記少駆動モータは、誘起磁界を生じるモータコイルと、前記モータコイルからの誘起磁界を伝達するステータと、前記ステータの孔部分に配置されて誘起磁界によって回転されるロータと、を備え、前記ロータは二極に着磁されており、このロータが非回転時において安定位置に停止された際の磁極方向は、前記受信アンテナのコイルコアに流入する磁束線の方向に対して略直交または略平行であることが好ましい。
【００３５】
受信アンテナが電波を受信している最中には受信アンテナに磁界が形成される。
ここで、この磁界がロータに達すると、ロータを揺動させるなどの力となり、静的安定状態で静止していたロータを揺動させるなど、ロータを安定位置からずらしてしまうことになる。
この点、本発明では、受信アンテナのコイルコアに流入する磁束に対してロータの磁極方向（ＮＳ方向）が直交または平行となっているので、静的安定状態にあるロータに余計な力が作用せず、ロータの位置を保つことができる。
その結果、次に駆動モータを駆動させる際にロータの動作を正確に制御することができ、安定した指針表示を行うことができる。
【００３６】
本発明では、金属で構成された外装ケースと、金属で構成された裏蓋と、非導電性材料で構成された文字板と、を備え、断面視において前記受信アンテナは前記文字板側に配置され、かつ、前記多駆動モータは前記裏蓋側に配置されていることが好ましい。
【００３７】
この場合、前記文字板が光透過性の部材であり、この文字板の背面に光電変換パネル（太陽光発電パネル）が配置されていてもよい。
【００３８】
逆に、本発明では、受信アンテナおよび複数の電磁モータを内部に収納する本体ケースを備え、前記本体ケースの表側に金属性の部材からなる文字板が配置され、前記本体ケースの裏面側に非金属性の部材からなる裏蓋が配置されており、前記受信アンテナは前記裏蓋側に配置され、前記電磁モータは前記文字板側に配置されることが好ましい。
【００３９】
このような構成によれば、断面方向においても受信アンテナと電磁モータとを離すことで受信アンテナと電磁モータとの距離を大きくすることができる。
そして、受信アンテナを金属性部材から遠い位置に配置することで電波の受信性能を高く維持することができる。
【００４０】
本発明では、前記受信アンテナおよび前記複数の電磁モータが載置される地板を備え、平面視において前記受信アンテナと前記多駆動モータとは前記地板又はムーブメントの中心を間にして反対側であって前記地板又はムーブメントの外周に沿って配置されていることが好ましい。
【００４１】
このような構成において、受信アンテナと多駆動モータとが地板又はムーブメントの中心を間にして反対側に配置されるとは、例えば、受信アンテナを１２時方向に配置した場合に多駆動モータが６時方向に配置されているごとく、地板又はムーブメントの中心を通る直径の線上に受信アンテナと多駆動モータとが配置されていることをいう。
そして、受信アンテナと多駆動モータとを地板又はムーブメントの外周に沿って配置するとは、受信アンテナと多駆動モータとを地板又はムーブメントの最外周に配置することをいう。
すなわち、受信アンテナと多駆動モータとを地板又はムーブメントの中心を間にして反対側であって地板又はムーブメントの外周に沿って配置すると、受信アンテナと多駆動モータとを最も離して配置することになる。
その結果、多駆動モータから生じる磁界が受信アンテナに鎖交しにくくなり、多駆動モータの存在に大きな影響を受けることなく受信アンテナの受信性能を高く保つことができる。
【００４２】
本発明では、複数のモータがある場合には、受信アンテナに近接したモータの数を減らすことが好ましく、例えば、円形の地板又はムーブメント上に受信アンテナと複数のモータとを配設する場合、受信アンテナ側の半円に配置されるモータ数をＭとし、受信アンテナと反対側の半円に配置されるモータ数をＮとすると、Ｍ＜Ｎとなることが好ましい。
【００４３】
このような構成において、受信アンテナの近くに配置されるモータの数をできるかぎり少なくすることでモータから生じる磁界が受信アンテナに及ぼす影響を少なくして受信アンテナの受信性能を高く維持することができる。
そして、受信アンテナ側の半円に配置されるモータは、受信アンテナと反対側の半円に配置されるモータよりも小さいことで、より受信アンテナの受信性能を高く維持することができる。
また、受信アンテナから遠い距離に多くのモータを配することで、電波受信中も駆動可能なモータ数を多くして受信中に表示できる情報の種類を多くすることができる。
【００４４】
本発明では、前記少駆動モータは、前記受信用アンテナにて前記電波を受信している最中には駆動を停止することが好ましい。
【００４５】
このような構成において、多駆動モータよりも受信アンテナに近接して配置される小駆動モータが電波受信中は駆動を停止することが好ましい。
すると、少駆動モータは電波の受信中には磁界を発生しないので、受信アンテナの受信性能を高く保つことができる。
【００４６】
本発明では、前記少駆動モータコイル又は前記多駆動モータコイルの長さは、前記受信アンテナの長さよりも短いことが好ましい。
【００４７】
このような構成によれば、少駆動モータ又は多駆動モータから生じる磁界を少なくして、受信アンテナへの磁界の影響を少なくすることができる。
【発明を実施するための最良の形態】
【００４８】
以下、本発明の実施の形態を図示するとともに図中の各要素に付した符号を参照して説明する。
（第１実施形態）
本発明の第１実施形態としての電波時計（電子時計）１００について説明する。
図１は、電波時計１００の正面図である。
図２は、この電波時計１００の裏蓋を外した図である。
この電波時計１００は、腕時計であって、標準電波の受信によって自動的に時刻合わせを行う機能を有しているとともに、通常の時分を表示する通常時刻表示部の他、３つの小表示部によって種々の情報を表示するクロノグラフ機能を有する。
【００４９】
電波時計１００は、基枠としての本体ケース１１０と、本体ケース１１０の内部に配設された時計用ムーブメント２００と、無線情報（電波）として時刻情報を含んだ標準電波を受信する受信アンテナ３００と、を備える。
【００５０】
本体ケース１１０は、略リング形状で、合成樹脂やセラミック等の非導電性材料であり、また黄銅や金合金などの反磁性体である材料によって形成され、本体ケース１１０の外表面には図１に示される表示部１２０が設けられている。
本体ケース１１０の外周で互いに反対位置には、腕時計用バンドを取り付ける取付部１１１が形成されている。
本体ケース１１０の外側面には、切換操作部材１７０と、この切換操作部材１７０を挟んで２つのボタン部材１８１、１８２と、が設けられている。
切換操作部材１７０は、３時位置に設けられ、本体ケース１１０を貫通して設けられたリューズの巻真１７１と、本体ケース１１０の内部に設けられ巻真１７１の押し引き動作に応じて動作する切換部１７２と、を備えている。
ボタン部材としては、リュウズを間にして２時位置に配置されたＡボタン１８１と、４時に配置されたＢボタン１８２と、が設けられている。
切換操作部材１７０は、時刻合わせに利用され、また、Ａボタン１８１およびＢボタン１８２は、標準電波の強制受信操作やクロノグラフ機能のストップウォッチ操作などに利用される。
【００５１】
表示部１２０は、本体ケース１１０の中心点を中心とした通常時刻の時分を表示する時分表示部１３０と、９時位置に配置され通常時刻の秒を表示する秒表示部１４０と、６時位置に配置されクロノグラフ秒を表示するＣＧ秒表示部１５０と、１２時位置に配置されクロノグラフ分を表示するＣＧ分表示部１６０と、を備える。
【００５２】
時分表示部１３０は、表示部１２０の大円の周囲に設けられた目盛り１３１と、時針１３２と、分針１３３と、を備える。
秒表示部１４０は、小円の周囲に設けられた目盛り１４１と、秒針１４２と、を備えている。
ＣＧ秒表示部１５０は、小円の周囲に設けられた目盛り１５１と、ＣＧ秒針１５２と、を備えている。
ＣＧ分表示部１６０は、小円の周囲に設けられた目盛り１６１と、ＣＧ分針１６２と、を備えている。
【００５３】
ここで、標準電波の受信中において、秒表示部１４０は、秒時刻の表示を停止し、受信状態の表示を行うインジケータとして機能する。
秒表示部１４０において受信状態インジケータとして機能する場合には、３０秒位置１４３が受信不能状態を意味するとし、６０秒位置（００秒位置）１４４が受信最良状態を意味するとし、受信レベルに応じて刻々と秒針１４２の指示位置が変更される。
【００５４】
図２を参照して電波時計の内部構成配置について説明する。
時計用ムーブメント２００は、電力源となる電池２１０と、電池の電力にて駆動される駆動部２２０と、水晶振動子２８１、２８２、２８３や制御ＩＣ２８４が実装された回路ブロック２８０と、これらを挟持して一体化するプラスチックの地板２８５およびプラスチックの輪列受け（不図示）と、を備えて配置されている。
【００５５】
電池２１０は、従来知られた構成であり、電池２１０のケース（外缶）はボタン型で金属製の強磁性体で形成されている。
例えば、電池２１０のケースを形成する強磁性体としては、ＳＵＳ３０４（ステンレス鋼）などを用いることができる。
電池２１０としては、折曲、屈曲など変形自在の固体電解質の電池を用いてもよい。
【００５６】
駆動部２２０は、複数のモータ２３０〜２６０と、各モータの動力を伝達する輪列２７０と、を備えている。
【００５７】
モータとしては、時分表示部１３０の時針１３２および分針１３３を駆動する時分針駆動モータ２３０と、秒表示部１４０の秒針１４２を駆動する秒針駆動モータ２４０と、ＣＧ秒表示部１５０のＣＧ秒針１５２を駆動するＣＧ秒針駆動モータ２５０と、ＣＧ分表示部１６０のＣＧ分針１６２を駆動するＣＧ分針駆動モータ２６０と、が配置されている。
【００５８】
ここで、時分針駆動モータ２３０は、通常は１０秒に１パルスの駆動によって分針１３３および時針１３２を駆動させるが、受信アンテナ３００にて標準電波が受信されている最中はその駆動を停止する少駆動モータである。なお、秒針１４２は、受信状態を示す位置までくると停止される。
秒針駆動モータ２４０は、通常は１秒に１パルスの駆動によって秒針１４２を駆動させ、受信アンテナ３００にて標準電波が受信されている最中も１秒に１パルスの駆動によって秒針１４２を駆動させて受信状態を表示させる多駆動モータである。
ＣＧ秒針駆動モータ２５０およびＣＧ分針駆動モータ２６０は、切換操作部材１７０によって所定の動作モード（ＣＧモード）に設定されたときにのみ駆動されるモータであり、受信アンテナ３００にて標準電波が受信されている最中には駆動が停止されている少駆動モータである。
【００５９】
基本的に各モータ２３０〜２６０の構成は同様であり、誘起磁界を生じるモータコイル２３１、２４１、２５１、２６１と、モータコイル２３１、２４１、２５１、２６１からの誘起磁界を伝達するステータ２３２、２４２、２５２、２６２と、ステータ２３２、２４２、２５２、２６２の孔部分に回転自在に配置されて誘起磁界によって回転されるロータ２３３、２４３、２５３、２６３と、を備える。
【００６０】
なお、各モータ２３０〜２６０の配置については、受信アンテナ３００との相対位置と併せて後述する。
【００６１】
輪列２７０としては、時分針駆動モータ２３０から時分針１３２、１３３に動力を伝達する輪列２７１と、秒針駆動モータ２４０から秒針１４２に動力を伝達する輪列２７２と、ＣＧ秒針駆動モータ２５０からＣＧ秒針１５２に動力を伝達する輪列２７３と、ＣＧ分針駆動モータ２６０からＣＧ分針１６２に動力を伝達する輪列２７４と、が設けられている。
輪列２７０の歯車列は、主として炭素鋼やステンレス鋼などの鋼材によって形成されている。
【００６２】
回路ブロック２８０は、一定周期の発振を行う水晶振動子２８１〜２８３と、制御ＩＣ２８４等と、を備えて構成されている。
水晶振動子としては、基準クロックを発振する計時用の水晶振動子２８１と、標準電波の周波数に同調する同調信号生成用の同調用水晶振動子２８２、２８３と、が設けられている。
同調用水晶振動子は、たとえば、日本国内では、６０ｋＨｚの標準電波に同調するための水晶振動子２８２と、４０ｋＨｚの標準電波に同調するための水晶振動子２８３と、の二つが設けられる。
また、例えば、欧米では、６０ｋＨｚの水晶振動子、７７．５ｋＨｚの水晶振動子を用いる。
制御ＩＣ２８４は、水晶振動子２８１からの周波数を分周して基準クロックを生成する分周回路や、基準クロックをカウントして時刻を計時する計時回路や、計時回路からの信号をもとに駆動部２２０のモータを制御する制御回路や、受信アンテナ３００で受信した時刻情報を処理（増幅、復調など）する受信回路などを備えて構成されている。
制御ＩＣ２８４は、可能な回路部分を共有化したり、アナログ回路ではなくコンピュータ等でソフト的に構成するなどでもよい。
ここで、水晶振動子２８１と分周回路、計時回路から計時機構が構成されている。
【００６３】
受信アンテナ３００は、フェライトからなるアンテナコア３１０と、このアンテナコア３１０にコイルが巻回された受信コイル３２０と、により構成されている。
受信アンテナ３００のアンテナコア３１０は、フェライト、アモルファス金属、ＳＵＹ（電磁軟鉄）などで形成されていてもよい。
例えば、受信アンテナ３００のアンテナコア３１０を電磁軟鉄で形成する場合には、本体ケース１１０の形状に沿って湾曲形状とするのに利点を有する。
受信アンテナ３００で受信された時刻情報（無線情報）は制御ＩＣ２８４の受信回路に出力されて、信号処理がなされる。
従って、受信アンテナ３００と制御ＩＣ２８４の受信回路から受信機構が構成されている。
なお、受信アンテナ３００で受信する時刻情報としては、例えば、長波標準電波（ＪＪＹ）などを利用できる。
【００６４】
次に、モータ２３０〜２６０および受信アンテナ３００等の各部品のレイアウトについて説明する。
まずは、各部品の配置について説明する。
受信アンテナ３００は１２時側で地板２８５の外周に近接して配置されている。受信アンテナ３００の向きは、３時から９時の方向に平行である。
時分針駆動モータ２３０は、１０時から１１時の間に配置されている。
ＣＧ分針駆動モータ２６０は、１時から２時の間に配置されている。
秒針駆動モータ２４０は、８時から７時の間に配置されている。
ＣＧ秒針駆動モータ２５０は、６時から５時の間に配置されている。
【００６５】
すなわち、多駆動モータである秒針駆動モータ２４０は受信アンテナ３００から遠い位置に配置されており、秒針駆動モータ２４０は少駆動モータである時分針駆動モータ２３０とＣＧ分針駆動モータ２６０とに比べて受信アンテナ３００から遠い位置に配置されている。
【００６６】
また、電池２１０は、４時側に配置されている。
切換操作部材１７０の巻真１７１は３時位置に設けられ、切換部１７２は２時から３時の間に配置されている。
計時用水晶振動子２８１は、６時から７時の間で地板２８５の外周に近接して配置されている。
そして、制御ＩＣ２８４は、７時方向で地板２８５の外周に近接して配置されており、計時用水晶振動子２８１に隣接して配置されている。
さらに、４０ｋＨｚおよび６０ｋＨｚの同調用水晶振動子２８２、２８３は、制御ＩＣ２８４を間にして計時用水晶振動子２８１とは反対側に配置されている。
【００６７】
次に、モータ２３０〜２６０の向きについて説明する。
受信アンテナ３００に近い位置に配置された時分針駆動モータ２３０とＣＧ分針駆動モータ２６０とは、モータコイル２３１、２６１、ステータ２３２、２６２およびロータ２３３、２６３を備えているところ、モータコイル２３１、２６１は、受信アンテナ３００から生じる磁界に略直交する向きで配置されている。
そして、受信アンテナ３００から生じる磁界に沿って見たときに、モータコイル２３１、２６１は、受信アンテナ３００とステータ２３２、２６２との間に配置され、すなわち、ステータ２３２、２６２が受信アンテナ３００の端部から離されている。
また、受信アンテナ３００のコイルの軸線方向に対し前記少駆動モータのモータコイルの軸線が６０度以上１２０度以下で交差するように時分針駆動モータ２３０とＣＧ分針駆動モータ２６０とは配置されている。
なお、受信アンテナ３００のコイルの軸線方向と少駆動モータのモータコイルの軸線との交差角度は、７５度から１０５度の範囲でもよく、８５度から９５度の範囲でもよい。
【００６８】
また、ロータ２３３、２６３は２極に着磁されており、モータコイル２３１、２６１から誘起磁界が発生しない静的安定状態では、ステータ２３２、２６２の孔部分で回転せずに停止している。
この静的安定状態におけるロータ２３３、２６３の磁極方向は、受信アンテナ３００から生じる磁界に対して略平行である。
静的安定状態におけるロータ２３３、２６３の磁極方向は、ステータ２３２、２６２に形成されたノッチの位置または角度を変えることにより調整可能である。
そして、本実施形態においては、静的安定状態におけるロータ２３３、２６３の磁極方向を受信アンテナ３００からの磁界に略平行とするために、ステータ２３２、２６２の形状を工夫しており、ステータ２３２、２６３のロータ孔が設けられた部分の前後に湾曲部２３２Ａ、２６２Ａを形成し、外ノッチを結んだ線が受信アンテナ３００からの磁界に対して所定の角度がつくようにしている。
なお、ロータの磁極方向が受信アンテナ３００からの磁界に対して直交していてもよい。
【００６９】
秒針駆動モータ２４０は、モータコイル２４１、ステータ２４２およびロータ２４３を備えているところ、モータコイル２４１は、９時と５時とを結ぶ方向に略平行な向きで配置されている。
そして、秒針駆動モータ２４０の周囲の部品は、モータコイル２４１の一端から生じる磁界が受信アンテナ３００に到達せずに再びモータコイル２４１の他端に回帰する磁気回路の形成を補助する位置にそれぞれ配置されている。
具体的には、モータコイル２４１の一端から出た磁界は、輪列２７２、２７１、ＣＧ分針駆動モータ２６０のステータ２６２、切換操作部材１７０、電池２１０、輪列２７３、を順に介してモータコイル２４１の他端に回帰する。
ここに、輪列２７２、２７１、ＣＧ分針駆動モータ２６０のステータ２６２、切換操作部材１７０、電池２１０および輪列２７３により、磁気回路形成補助手段が構成される。
【００７０】
次に、この電波時計１００の動作について説明する。
この電波時計１００の動作モードとしては、主として、通常時刻表示モード、クロノグラフモード、電波受信モードの３つのモードがある。
なお、各モードの選択は切換操作部材１７０およびＡボタン１８１、Ｂボタン１８２の操作により選択される他、電波受信モードは例えば１日に２回の設定された時刻になると自動的に開始されるように設定されてもよい。
【００７１】
まず、通常時刻表示モードにおける動作について説明する。
計時用水晶振動子２８１に電圧が印加された際に出力される発振信号が制御ＩＣ２８４の分周回路で分周されて基準信号が生成される。
この基準信号をもとに制御ＩＣ２８４上の計時回路で現時刻が計時されるとともに、この現時刻の計時に応じて制御ＩＣ２８４から時分針駆動モータ２３０および秒針駆動モータ２４０に駆動パルスが印加される。
すると、時分針駆動モータ２３０と秒針駆動モータ２４０とが駆動され、それぞれのロータ２３３、２４３が回転される。
各ロータ２３３、２４３の回転は、輪列２７１、２７２によって伝達され、時針１３２、分針１３３、秒針１４２がそれぞれ回転駆動されて現時刻の表示が行われる。
このとき、受信アンテナ３００では電波の受信は行われず、また、ＣＧ分針駆動モータ２６０およびＣＧ秒針駆動モータ２５０も停止されている。
【００７２】
次に、クロノグラフモードにおける動作について説明する。
クロノグラフモードでは、通常時刻表示モードでの現時刻表示は継続して続行され、すなわち、時分針駆動モータ２３０と秒針駆動モータ２４０の駆動は続けられる。
そして、クロノグラフモードではさらにストップウォッチとして任意の時刻からの経過時間表示がＣＧ秒表示部１５０とＣＧ分表示部１６０により行われる。
切換操作部材１７０の操作によってクロノグラフモードが選択された状態で例えばＡボタン１８１を押し下げると経過時間の計測が制御ＩＣ２８４の計時部によって行われる。
この経過時間の計測に応じた駆動パルスが制御ＩＣ２８４からＣＧ秒針駆動モータ２５０およびＣＧ分針駆動モータ２６０に印加され、ＣＧ秒針駆動モータ２５０およびＣＧ分針駆動モータ２６０が駆動される。
ＣＧ秒針駆動モータ２５０およびＣＧ分針駆動モータ２６０の各ロータの回転が輪列を介してＣＧ秒針１５２およびＣＧ分針１６２に伝達されて、各指針によって経過時間が表示される。
このとき、受信アンテナ３００では電波の受信は行われない。
【００７３】
次に、電波受信モードにおける動作について説明する。
電波受信モードは、予め設定された電波受信時刻になった際に自動的に開始されてもよく、あるいは、切換操作部材１７０、Ａボタン１８１、Ｂボタン１８２の操作によって強制的に実行されてもよい。
電波受信モードにおいては、まず、通常時刻表示モードで実行されていた通常時刻の表示が停止される。
すなわち、時分針駆動モータ２３０および秒針駆動モータ２４０の駆動が停止される。
そして、改めて、秒針駆動モータ２４０には、受信状態のインジケータとして秒針１４２を駆動させるための駆動パルスが印加されることになる。
【００７４】
受信アンテナ３００にて標準電波の受信が行われると、標準電波の時刻情報に基づいて制御ＩＣ２８４上で計時されている現時刻が修正される。
標準電波の受信が終了したところで、修正された現時刻が表示されるまで時分針駆動モータ２３０および秒針駆動モータ２４０に早送りパルスが印加される。
そして、時針１３２、分針１３３および秒針１４２にて現時刻が表示されたところで電波受信モードは終了される。
以後、通常時刻表示モードが継続される。
【００７５】
ここで、受信アンテナ３００にて標準電波を受信している最中の動作について説明する。
受信アンテナ３００にて標準電波を受信しているとき、受信アンテナ３００の受信コイル３２０に標準電波が鎖交する。
すると、受信アンテナ３００から誘導磁界が生じる。
この磁界は、アンテナコア３１０の一端から出てアンテナコア３１０の他端に回帰する。
この磁界は、駆動が停止されている時分針駆動モータ２３０およびＣＧ分針駆動モータ２６０を経由する。
時分針駆動モータ２３０およびＣＧ分針駆動モータ２６０の各モータコイル２３１、２６１は磁界に直交して配置されているので、磁界が時分針駆動モータ２３０およびＣＧ分針駆動モータ２６０を経由するに際し、磁界は各モータコイル２３１、２６１に鎖交しない。
よって、時分針駆動モータ２３０およびＣＧ分針駆動モータ２６０の各モータコイル２３１、２６１には誘導電流および誘導磁界が生じることがないか、もしくは少なくなる。
したがって、各モータコイル２３１、２６１から磁界が発生して受信アンテナ３００に影響することはないので、受信アンテナ３００の受信性能が高く維持される。
また、モータコイル２３１、２６１から誘導磁界が発生しないので、モータコイル２３１、２６１からの誘導磁界が各ロータ２３３、２６３に作用することがなく、ロータ２３３、２６３の静的安定が保たれる。
【００７６】
さらに、標準電波を受信中の受信コイル３２０から生じる磁界に対して時分針駆動モータ２３０およびＣＧ分針駆動モータ２６０の各ロータ２３３、２６３の磁極方向が平行であるので、各ロータ２３３、２６３にはロータを回転させる力が作用せず、ロータ２３３、２６３は静的安定を保った状態で静止したままとなる。
【００７７】
また、受信アンテナ３００で標準電波を受信している最中は、制御ＩＣ２８４にて受信強度を１秒単位で検出し、この受信強度を秒針で表示する。
このとき、制御ＩＣ２８４から受信強度を表示するための駆動パルスが秒針駆動モータ２４０に出力される。
この駆動パルスによりモータコイル２４１に誘導磁界が誘起され、この誘導磁界によってロータ２４３が回転駆動される。
ロータ２４３の回転が輪列２７２によって秒針１４２に伝達されて受信強度が表示される。
【００７８】
ここで、秒針駆動モータ２４０に駆動パルスが印加されると、モータコイル２４１から誘導磁界が生じるが、この誘導磁界は、輪列２７２、２７１、ＣＧ分針駆動モータ２６０のステータ２６２、切換操作部材１７０、電池２１０、輪列２７３を順に介してモータコイル２４１の他端に回帰し、受信アンテナ３００には到達しない。
【００７９】
このような第１実施形態によれば、次の効果を奏する。
（１）秒針駆動モータ２４０を受信アンテナ３００から遠い位置に配置しているので、受信アンテナ３００にて電波の受信が行われている最中に秒針駆動モータ２４０が駆動して磁界が発生したとしても、この磁界が受信アンテナ３００に鎖交しにくくすることができる。
よって、秒針駆動モータ２４０の存在に大きな影響を受けることなく受信アンテナ３００の受信性能を高く保つことができる。
【００８０】
（２）受信に悪影響がある秒針駆動モータ２４０を受信アンテナから離す一方で、受信中は駆動が停止され磁界の影響を受信アンテナ３００に及ぼさないモータ（時分針駆動モータ２３０、ＣＧ分針駆動モータ２６０）は受信アンテナ３００に近い位置に配置することが可能となる。
その結果、例えば、秒針駆動モータ２４０と受信アンテナ３００との間に時分針駆動モータ２３０およびＣＧ分針駆動モータ２６０を配置することができ、複数の電磁モータを備えていても受信アンテナ３００の受信性能を高性能に維持しつつ全体として小型化を図ることができる。
【００８１】
（３）受信アンテナ３００から生じる磁界に沿って見たときに、時分針駆動モータ２３０およびＣＧ分針駆動モータ２６０のステータ２３２、２６２は、モータコイル２３１、２６１を間にして受信アンテナ３００の端部とは反対側に配置されており、モータコイル２３１、２６１を間にして受信アンテナ３００の端部からステータ２３２、２６２が遠い位置に配置される。
高透磁率性部材であるステータ２３２、２６２が受信アンテナ３００の端部に近接していると標準電波が受信アンテナ３００よりもステータ２３２、２６２に引かれてしまい、受信アンテナ３００の鎖交磁束が少なくなってしまうが、ステータ２３２、２６２を受信アンテナ３００の端部から離すことにより受信アンテナ３００の鎖交磁束を多くして受信アンテナ３００の受信性能を高く維持することができる。
【００８２】
（４）秒針駆動モータ２４０よりも受信アンテナ３００に近接して配置される時分針駆動モータ２３０およびＣＧ分針駆動モータ２６０が電波受信中は駆動を停止するので、時分針駆動モータ２３０およびＣＧ分針駆動モータ２６０は電波の受信中には磁界を発生しない。
よって、受信アンテナ３００の受信性能を高く保つことができる。
【００８３】
（５）受信アンテナ３００が電波を受信している最中には受信アンテナ３００から磁界が生じるが、受信アンテナ３００から生じる磁界は時分針駆動モータ２３０およびＣＧ分針駆動モータ２６０のモータコイル２３１、２６１に対しては６０度以上１２０度以下で鎖交するので、モータコイル２３１、２６１に鎖交する磁束は極力少なくなる。
そして、受信アンテナ３００から生じる磁界がモータコイル２３１、２６１に鎖交しにくくしているので、静的安定状態にあるロータ２３３、２６３に余計な力が作用せず、ロータ２３３、２６３の位置を保つことができる。
【００８４】
（６）受信アンテナ３００からの磁界に対してロータ２３３、２６３の磁極方向が平行となっているので、磁界が影響してもロータ２３３、２６３の向きは変わらず、その結果、次に時分針駆動モータ２３０およびＣＧ分針駆動モータ２６０を駆動させる際にロータ２３３、２６３の動作を正確に制御することができる。
【００８５】
（７）計時用の水晶振動子２８１は常に駆動されているので受信アンテナ３００にて電波を受信している最中もノイズを発生させる恐れがあるが、計時用水晶振動子２８１は受信アンテナ３００から遠い位置に配置されているので、計時用水晶振動子２８１からのノイズが受信アンテナに影響することを少なくして、受信アンテナ３００の受信性能を高く保つことができる。
【００８６】
（８）秒針駆動モータ２４０は、受信アンテナ３００にて電波を受信中にも駆動されてモータコイル２４１から磁界を発生させるが、秒針駆動モータ２４０の周囲の部品によって磁気回路の形成が補助され、モータコイル２４１の一端から出た磁界は受信アンテナ３００に到達する前にモータコイル２４１の他端に回帰する。
よって、受信アンテナ３００には秒針駆動モータ２４０からの磁界があまり影響せず、受信アンテナ３００の受信性能が高く維持される。
【００８７】
（９）モータコイル２３１、２６１は、受信アンテナ３００とステータ２３２、２６２との間に配置され、すなわち、ステータ２３２、２６２が受信アンテナ３００の端部から離間されている。外部から送信される電波の受信は、外部からの磁束が受信アンテナ端部に収束される鎖交磁束により行われるが、ステータ２３２、２６２のような高透磁率性部材が受信アンテナに近接していると外部からの磁束は受信アンテナだけでなくステータにも収束され、受信アンテナの鎖交磁束が少なくなる。ステータを受信アンテナの端部から離間させることにより受信アンテナの鎖交磁束を多くして受信アンテナの受信性能を高く維持することができる。
よって、受信アンテナの受信性能を高く維持したままで、電波受信中に指針の駆動を行うことができ、例えば、受信強度を表示してユーザーに電波の受信状態を知らせることができる。
（第２実施形態）
【００８８】
次に、本発明の第２実施形態について説明する。
図３は、第２実施形態の正面図である。
図４は、第２実施形態の裏蓋を外した図である。
図５は、第２実施形態の断面図である。
【００８９】
この電波時計４００は、受信アンテナ３００および複数の電磁モータ６１０〜６４０を内部に収納する短円筒形状の本体ケース１１０と、本体ケース１１０のやや表側において本体ケース１１０の筒孔を閉塞するように配置された文字板１９１と、文字板１９１の背面に配置された光電変換パネル１９２と、本体ケース１１０の裏面側に配置され本体ケース１１０の筒孔を閉塞する裏蓋１９３と、受信アンテナ３００と、複数のモータ６１０〜６４０と、を備える（図４、図５参照）。
【００９０】
本体ケース１１０は金属性の部材で形成され、例えば、ＳＵＳ（ステンレス）、黄銅、チタンなどで形成されている。文字板１９１は、光透過性の部材であって非磁性、非導電性の部材で形成され、例えば、ガラスで形成されている。
光電変換パネル（太陽光発電パネル）１９２の基板は、非磁性、非導電性であって、例えば、ポリイミドで形成されている。
裏蓋１９３は、金属性の部材であって、ＳＵＳ、黄銅、チタンなどで形成されている。
【００９１】
図３において、表示部５００は、通常時刻の時分秒を表示する時分秒表示部５１０と、３時位置に配置されクロノグラフ時分を表示するＣＧ時分表示部５２０と、９時位置に配置されクロノグラフ１／１０秒を表示するＣＧ最小桁表示部５３０と、を備える。
【００９２】
時分秒表示部５１０は、大円の周囲に設けられた目盛り５１１と、時針５１２と、分針と５１３、秒針５１４と、を備える。
ＣＧ時分表示部５２０は、小円の周囲に設けられた目盛り５２１と、ＣＧ時針５２２と、ＣＧ分針５２３と、を備えている。
ＣＧ最小桁表示部５３０は、小円の周囲に設けられた目盛り５３１と、ＣＧ秒針５３２と、を備えている。
【００９３】
なお、秒針５１４は、標準電波の受信中において通常の秒時刻の表示を停止し、受信状態のインジケータとして機能する。
【００９４】
図４において、電池２１０、駆動部としての４つモータ６１０〜６４０と輪列２７０、受信アンテナ３００を備えている点は基本的に第１実施形態と同様である。
なお、回路ブロックは省略する。
ここで、モータとしては、時分秒表示部５１０の時分針５１２、５１３を駆動する時分針駆動モータ６１０と、時分秒表示部５１０の秒針５１４を駆動する秒針駆動モータ６２０と、ＣＧ時分表示部５２０のＣＧ時針５２２およびＣＧ分針５２３を駆動するＣＧ時分針駆動モータ６３０と、ＣＧ最小桁表示部５３０のＣＧ秒針５３２を駆動するＣＧ秒針駆動モータ６４０と、が設けられている。
【００９５】
ここで、ＣＧ時分針駆動モータ６３０およびＣＧ秒針駆動モータ６４０は、切換操作部材１７０によって所定の動作モード（ＣＧモード）に設定されたときにのみ駆動されるモータであり、受信アンテナ３００にて標準電波が受信されている最中には駆動が停止されている少駆動モータである。
また、時分針駆動モータ６１０は、通常は１０秒に１パルスの駆動によって分針５１３および時針５１２を駆動させるが、受信アンテナ３００にて標準電波が受信されている最中は駆動周期を長くし、６０秒に一回の駆動を行う少駆動モータである。
秒針駆動モータ６２０は、通常は１秒に１パルスの駆動によって秒針５１４を駆動させ、受信アンテナ３００にて標準電波が受信されている最中も１秒に１パルスの駆動によって秒針５１４を駆動させて受信状態を表示させる多駆動モータである。
【００９６】
第２実施形態における各部品のレイアウトについて説明する。
受信アンテナ３００が１２時側で地板の外周に近接して配置されている。
受信アンテナ３００の向きは、３時から９時の方向に平行である。
ＣＧ時分針駆動モータ６３０は１０時から１１時の間に配置され、ＣＧ秒針駆動モータ６４０は１時から２時の間に配置されている。
なお、ＣＧ時分針駆動モータ６３０およびＣＧ秒針駆動モータ６４０は、受信アンテナ３００よりも内側（中心側）に配置されている。
ＣＧ時分針駆動モータ６３０のモータコイル６３１およびＣＧ秒針駆動モータ６４０のモータコイル６４１は、受信アンテナ３００から生じる磁界に対して６０度から１２０度の範囲で交差する向きで配置されている。
時分針駆動モータ６１０は、８時方向で地板の外周に近接して配置されている。
秒針駆動モータ６２０は、６時方向で地板の外周に近接して配置されている。
また、秒針駆動モータ６２０のモータコイル６４１の向きは、３時から９時の方向に平行である。
【００９７】
すなわち、多駆動モータである秒針駆動モータ６２０は受信アンテナ３００から遠い位置に配置されており、秒針駆動モータ６２０は、少駆動モータであるＣＧ時分針駆動モータ６３０およびＣＧ秒針駆動モータ６４０に比べて受信アンテナ３００から遠い位置に配置されている。
さらに、時分針駆動モータ６１０も少駆動モータではあるが、受信アンテナ３００にて標準電波を受信している最中も駆動を継続するモータであるため、標準電波の受信中にその駆動を停止しているＣＧ時分針駆動モータ６３０およびＣＧ秒針駆動モータ６４０に比べて受信アンテナ３００から遠い位置に配置されている。
【００９８】
次に、受信アンテナ３００および各モータ６１０〜６４０の各コイルについて説明する。
受信アンテナ３００は、標準電波を受信するために鎖交磁束を多くした方がよいので、コイルの巻き数が多いほうが好ましい。
また、秒針駆動モータ６２０は通常時および電波受信時にも常時駆動されるモータであるので、エネルギー効率を高めるために巻き数が多い方が好ましい。
ただし、単純にコイルの巻き数を多くしてしまうと巻き太りになり、電波時計の厚みを厚くしてしまうことになる。
そこで、巻き数を多くするコイルほどコイルの長さおよび幅を大きくとり、巻き数を稼ぎつつも厚みを薄くする。
【００９９】
ここで、受信コイル３２０の長さをＡとし、秒針駆動モータ６２０のモータコイル６２１の長さをａ１とし、時分針駆動モータ６１０のモータコイル６１１の長さをａ２とし、ＣＧ時分針駆動モータ６３０のモータコイル６３１の長さをａ３とし、ＣＧ秒針駆動モータ６４０のモータコイル６４１の長さをａ４とする。このとき、次の式を満たす。
【０１００】
Ａ＞ａ１＞ａ２＞ａ３≧ａ４
【０１０１】
また、同様に、コイルの幅について、受信コイル３２０の幅をＢとし、秒針駆動モータ６２０のモータコイル６２１の幅をｂ１とし、時分針駆動モータ６１０のモータコイル６１１の幅をｂ２とし、ＣＧ時分針駆動モータ６３０のモータコイル６３１の幅をｂ３とし、ＣＧ秒針駆動モータ６４０のモータコイル６４１の幅をｂ４とする。このとき、次の式を満たす。
【０１０２】
Ｂ＞ｂ１＞ｂ２＞ｂ３≧ｂ４
【０１０３】
また、コイルの長さから受信アンテナ３００および各モータ６１０〜６４０の全長（すなわちステータの長さ）についてもおのずと関係式が成り立つ。
すなわち、受信アンテナ３００のアンテナコア３１０の長さをＤとし、秒針駆動モータ６２０のステータ６２２の長さをｄ１とし、時分針駆動モータ６１０のステータ６１２の長さをｄ２とし、ＣＧ時分針駆動モータ６３０のステータ６３２の長さをｄ３とし、ＣＧ秒針駆動モータ６４０のステータ６４２の長さをｄ４とする。このとき、次の式が成り立つ。
【０１０４】
Ｄ＞ｄ１＞ｄ２＞ｄ３≧ｄ４
【０１０５】
次に、図５を参照して受信アンテナ３００と各モータ６１０〜６４０との断面的（高さ方向）レイアウトについて説明する。
図５において、受信アンテナ３００は、文字板１９１側に配置されている。
その一方、各モータ６１０〜６４０は裏蓋１９３側に配置され、特に、秒針駆動モータ６２０が最も裏蓋１９３に近接して配置されている。
つまり、受信アンテナ３００は、標準電波を受信するために金属性の裏蓋１９３から遠い位置に配置されている。時分針駆動モータ６１０は、秒針駆動モータ６２０より受信アンテナ３００に近い位置に配置され、ＣＧ時分駆動モータ６３０およびＣＧ秒針駆動モータ６４０はさらに受信アンテナ３００に近い位置ではあるが、受信アンテナ３００よりは裏蓋１９２側に配置されている。
そして、受信アンテナ３００は非磁性、非導電性の文字板および光電変換パネル１９２に近接しているが、文字板１９１および光電変換パネル１９２では標準電波が遮蔽されないので、受信アンテナ３００によって標準電波が受信される。
また、秒針駆動モータ６２０は、平面的にも受信アンテナ３００から遠い位置に配置されているが（図４参照）、さらに、断面的配置においても受信アンテナ３００から最も遠い位置に配置されている。
【０１０６】
このような構成において、第２実施形態の基本的な動作については第１実施形態と同様であるので省略する。
【０１０７】
このような第２実施形態によれば、上記実施形態の効果に加えて次の効果を奏する。
【０１０８】
（１０）受信アンテナ３００と秒針駆動モータ６２０とが平面視において地板２８５の中心を間にして反対側であって地板２８５の外周に沿って配置されているので、受信アンテナ３００と秒針駆動モータ６２０とを最も遠い位置に配置することができる。
その結果、秒針駆動モータ６２０から生じる磁界が受信アンテナ３００に鎖交しにくくなり、秒針駆動モータ６２０の存在に大きな影響を受けることなく受信アンテナ３００の受信性能を高く保つことができる。
【０１０９】
（１１）秒針駆動モータ６２０のモータコイル６２１の長さを長くして巻き数を多くしているので、コイルの抵抗値が大きくなる。
すると、微小な駆動パルスによって秒針駆動モータ６２０を駆動させることができる。
秒針駆動モータ６２０は電波受信中も含めて常時駆動しているのでエネルギーを常時消費することになるが、モータコイルの長さを長くして巻き数を増やすことによって微小なパルスによって駆動させることができ、エネルギー消費量を極力少なくすることができる。
【０１１０】
（１２）ＣＧ時分針駆動モータ６３０およびＣＧ秒針駆動モータ６４０のモータコイル６３１、６４１の長さを短くしているので、ＣＧ時分針駆動モータ６３０およびＣＧ秒針駆動モータ６４０から生じる磁界を少なくし、受信アンテナ３００への磁界の影響を少なくすることができる。
【０１１１】
（１３）受信アンテナ３００は文字板１９１側に配置され、モータ６１０〜６４０は裏蓋１９３側に配置されているので、断面方向においても受信アンテナ３００とモータ６１０〜６４０とを離すことで受信アンテナ３００とモータ６１０〜６４０との距離を大きくすることができる。
そして、受信アンテナ３００は金属性部材から離すことで電波の受信性能を高く維持することができる。
【０１１２】
（１４）時分針駆動用モータ６１０は、受信アンテナ３００にて電波を受信している最中には、通常の駆動周期よりも長い駆動周期で駆動するので、時分針駆動モータ６１０から生じる磁界によって受信エラーが生じる可能性をそれだけ小さくすることができる。また、電波受信中にも時分針駆動モータ６１０の駆動を完全に停止することなく時分針駆動モータ６１０が時針５１２および分針５１３を駆動させることでユーザーに時刻を知らせることができる。
（第３実施形態）
【０１１３】
次に、本発明の第３実施形態について説明する。
図６は、第３実施形態の正面図である。
図７は、第３実施形態の裏蓋を外した状態の図である。
【０１１４】
図６において、時刻表示部７００と、モード表示部７５０と、が設けられている。
時刻表示部７００は、文字板７１０と、時針７２０、分針７３０、秒針７４０と、を備えている。
ここで、時針７２０、分針７３０、秒針７４０は、通常時刻の時、分、秒を表示することに加えて、クロノグラフモードでは、ストップウォッチとして任意の時刻からの経過時間を表示するためのＣＧ時針、ＣＧ分針、ＣＧ秒針としての機能も兼ねる。
【０１１５】
モード表示部７５０は、現在設定されているモードを表示する。
表示の方法は特に限定されず、例えば、デジタル表示でもよく、あるいは回転するモード表示板の一部が所定の窓部から視認可能となっていてもよい。
なお、設定可能なモードとしては、例えば、現時刻表示モード、クロノグラフモード、ゼロ位置合わせ、タイマーモード、電波受信モードなどが例として挙げられる。
これらのモードの選択は、切換操作部材１７０の操作によってモード切換車７５１を回転操作してユーザーが切り換え操作可能である。
また、操作例として、ゼロ位置合わせの状態で、Ａボタン１８１の押し下げにより秒針が単独で修正可能となり、Ｂボタン１８２の押し下げにより分針が単独で修正可能となり、Ｃボタン１８３の押し下げにより時針が単独で修正可能とすることが例として挙げられる。
【０１１６】
図７において、電池２１０、受信アンテナ３００、複数の電磁モータが設けられている点は、第１実施形態と同様である。
モータとしては時針７２０を駆動する時針駆動モータ８１０と、分針７３０を駆動する分針駆動モータ８２０と、秒針７４０を駆動する秒針駆動モータ８３０と、が設けられている。
時針駆動モータ８１０、分針駆動モータ８２０、秒針駆動モータ８３０は、現時刻表示モードでは通常の現時刻を各指針７２０〜７４０によって表示させるように駆動しており、また、クロノグラフモードではストップウォッチとして各指針７２０〜７４０にて経過時間の表示をさせるように駆動する。
さらに、各モータ８１０〜８３０は、電波受信モードにおいて受信アンテナ３００にて標準電波を受信している最中も駆動を継続して各指針７２０〜７４０にて通常時刻の表示をさせるように駆動を継続する。
ただし、分針駆動モータ８２０は、通常は１０秒に１パルスの駆動によって分針５１３および時針５１２を駆動させるが、受信アンテナ３００にて標準電波が受信されている最中は駆動周期を長くし、６０秒に一回の駆動を行う。
【０１１７】
ここで、時針駆動モータ８１０は、標準電波の受信中も駆動を継続するが、時針７２０の駆動は駆動周期が長いので少駆動モータである。
また、分針駆動モータ８２０は、標準電波の受信中も駆動を継続するが、電波の受信中は駆動周期を長くする小駆動モータである。
そして、時針駆動モータ８１０の方が分針駆動モータよりも駆動周期が長いため、分針駆動モータ８２０が第１少駆動モータであり、時針駆動モータ８１０が第２少駆動モータである。
秒針駆動モータ８３０は、駆動周期が短いモータであり多駆動モータである。
【０１１８】
第３実施形態における各部品のレイアウトについて説明する。
受信アンテナ３００が１２時側で地板２８５の外周に近接して配置されている。
受信アンテナ３００の向きは３時から９時の方向に平行である。
時針駆動モータ８１０は、１時方向で受信アンテナ３００よりも内側に配置されている。
分針駆動モータ８２０は、８時方向で地板２８５の外周に近接して配置されている。
秒針駆動モータ８３０が６時方向で地板２８５の外周に近接して配置されている。
【０１１９】
すなわち、駆動周期の長い時針駆動モータ８１０が受信アンテナ３００にもっとも近接して配置されており、駆動周期が最も短い秒針駆動モータ８３０が受信アンテナ３００から最も遠い位置に配置され、分針駆動モータ８２０は受信アンテナ３００と秒針駆動モータ８３０との間に配置されている。
【０１２０】
なお、計時用水晶振動子２８１は、６時方向において秒針駆動モータ８３０よりもさらに地板の外周に近接して配置されている。そして、秒針駆動モータ８３０と地板２８５との隙間に配置される都合上、水晶振動子２８１は秒針駆動モータ８３０よりも短い。
【０１２１】
このような第３実施形態によれば、上記実施形態の効果に加えて、次の効果を奏する。
（１５）時針駆動モータ８１０は、受信アンテナ３００にて電波を受信している最中にも通常駆動時の駆動を継続するので、電波受信中に完全に情報の表示を中止させることなく必要な情報を表示部に表示させることができる。
そして、時針駆動モータ８１０は、時針７２０を駆動するモータであって、駆動周期が長いので磁界を発生する回数が少なく、時針駆動モータ８１０が受信アンテナ３００の近くに配置されていても受信アンテナ３００での電波受信に与える影響は小さい。
【０１２２】
（１６）分針駆動モータ８２０は時針駆動モータ８１０よりも受信アンテナ３００から遠い位置に配置されている。
駆動周期が短く磁界の発生頻度の高いモータ（分針駆動モータ８２０）が受信アンテナ３００から遠い位置に配置されており、すなわち、少駆動モータのなかでも駆動回数が多く磁界の発生頻度が多いモータ（分針駆動モータ８２０）を受信アンテナ３００から遠い位置に配置させている。
その結果、受信アンテナ３００への磁界の影響を少なくして受信アンテナ３００の受信性能を高く維持することができる。
【０１２３】
なお、本発明は前述の実施形態に限定されず、本発明の目的を達成できる範囲での変形、改良等は本発明に含まれる。
例えば、受信アンテナにて受信する電波は標準電波に限られず、種々の無線情報であってもよい。
複数の電磁モータの駆動パターンとしては上記実施形態に限定されないことはもちろんである。通常の時、分、秒の表示の他、クロノグラフ時、クロノグラフ分、クロノグラフ秒を表示させるための複数の電磁モータの駆動パターンは適宜設定されればよい。
上記実施形態においては、時計バンドと受信アンテナとの位置関係については説明しなかったが、時計用バンドがＳＵＳ（ステンレス鋼）、チタン合金、金合金、真鍮などの導電性材料を含んで形成されている場合、受信アンテナ３００と時計用バンドとは時刻視認方向で重ならない位置関係に配設されていることが望ましい。すなわち、時刻視認方向から見ると、時計用バンドは時計体の略中心を通って長手方向がアンテナコイルの軸線に略平行に設けられ、時計用バンドの幅はアンテナ３００に重ならない程度の広さに形成されていることが好ましい。このような構成において、腕時計用バンドが導電性材料であれば標準電波が時計用バンドにも引き寄せられてしまうが、時計用バンドとアンテナ３００とが重ならないので、時計用バンドがアンテナ３００の鎖交磁束に与える影響を小さくすることができる。
【０１２４】
上記実施形態では、多駆動モータと少駆動モータとは駆動回数によって区分したが、大きな駆動電力で駆動されるモータを多駆動モータと読み換え、小さな駆動電力で駆動されるかあるいは電波受信中に停止されるモータを少駆動モータと読み換えても上記実施形態と同様の作用効果を奏することができる。
【産業上の利用可能性】
【０１２５】
本発明は、標準電波を受信する電波時計（電波修正時計）に利用できる他、種々の無線電波を受信する電子時計に利用できる。
【図面の簡単な説明】
【０１２６】
【図１】第１実施形態において、電波時計の正面図。
【図２】第１実施形態において、電波時計の裏蓋を外した図。
【図３】第２実施形態の正面図。
【図４】第２実施形態の裏蓋を外した図。
【図５】第２実施形態の断面図。
【図６】第３実施形態の正面図。
【図７】第３実施形態の裏蓋を外した図。
【符号の説明】
【０１２７】
１００…電波時計、１１０…本体ケース、１２０…表示部、１３０…時分表示部、１３１…目盛り、１３２…時針、１３３…分針、１４０…秒表示部、１４１…目盛り、１４２…秒針、１４３…３０秒位置、１４４…６０秒位置、１５０…ＣＧ秒表示部、１５１…目盛り、１５２…ＣＧ秒針、１６０…ＣＧ分表示部、１６１…目盛り、１６２…ＣＧ分針、１７０…切換操作部材、１７１…巻真、１７２…切換部、１８１…Ａボタン、１８２…Ｂボタン、１８３…Ｃボタン、１９１…文字板、１９２…光電変換パネル、１９３…裏蓋、２００…時計用ムーブメント、２１０…電池、２２０…駆動部、２３０…時分針駆動モータ、２３１…モータコイル、２３２…ステータ、２３２Ａ…湾曲部、２３３…ロータ、２４０…秒針駆動モータ、２４１…モータコイル、２４２…ステータ、２４３…ロータ、２５０…ＣＧ秒針駆動モータ、２６０…ＣＧ分針駆動モータ、２７０…輪列、２７１…輪列、２７２…輪列、２７３…輪列、２７４…輪列、２８０…回路ブロック、２８１…計時用水晶振動子、２８２…水晶振動子、２８３…水晶振動子、２８４…制御ＩＣ、２８５…地板、３００…受信アンテナ、３１０…アンテナコア、３２０…受信コイル、４００…電波時計、５００…表示部、５１０…時分秒表示部、５１１…目盛り、５１２…時針、５１３…分針、５１４…秒針、５２０…ＣＧ時分表示部、５２１…目盛り、５２２…ＣＧ時針、５２３…ＣＧ分針、５３０…最小桁表示部、５３１…目盛り、５３２…ＣＧ秒針、６１０…時分針駆動モータ、６１１…モータコイル、６２０…秒針駆動モータ、６２１…モータコイル、６３０…時分針駆動モータ、６３１…モータコイル、６４０…秒針駆動モータ、６４１…モータコイル、７００…時刻表示部、７１０…文字板、７２０…時針、７３０…分針、７４０…秒針、７５０…モード表示部、７５１…モード切換車、８１０…時針駆動モータ、８２０…分針駆動モータ、８３０…秒針駆動モータ。
【図１】
2007132822.tif 000003
【図２】
2007132822.tif 000004
【図３】
2007132822.tif 000005
【図４】
2007132822.tif 000006
【図５】
2007132822.tif 000007
【図６】
2007132822.tif 000008
【図７】
2007132822.tif 000009